(57)【要約】【課題】第２熱源ユニットの流出口と給湯経路との間に接続される接続経路内の冷水が給湯経路に直接供給されることを防止するための技術を提供する。【解決手段】給湯システムは、給水経路から分岐して、第２熱源ユニットに接続される流入経路と、第２熱源ユニットから延びて、給湯経路に接続される第１接続経路と、第１接続経路から分岐して、給水経路と流入経路との分岐点よりも下流側の給水経路に接続される第２接続経路を備える。給湯システムの状態は、給水経路から流入経路への給水を許容し、かつ、第２接続経路から給水経路への給水を許容して、第１接続経路から給湯経路への給水を許容しない第２状態と、給水経路から流入経路への給水を許容し、かつ、第２接続経路から給水経路への給水を許容せずに、第１接続経路から給湯経路への給水を許容する第３状態と、に変更可能である。【選択図】図１
2020115050.tif 000002
【特許請求の範囲】
【請求項１】
貯湯ユニットと、第１熱源ユニットと、第２熱源ユニットと、を備える給湯システムであって、
前記貯湯ユニットは、
水を蓄える貯湯槽と、
前記貯湯槽の下部に接続された給水経路と、
前記貯湯槽の上部に接続された給湯経路と、
を備え、
前記第１熱源ユニットは、前記貯湯槽の下部から送り出される水を加熱し、加熱された水を前記貯湯槽の上部から前記貯湯槽内に送り出し、
前記第２熱源ユニットは、前記給水経路から送り出される水を加熱し、加熱された水を前記給湯経路に送り出し、
前記給湯システムは、さらに、
前記給水経路から分岐して、前記第２熱源ユニットの流入口に接続される流入経路と、
前記第２熱源ユニットの流出口から延びて、前記給湯経路に接続される第１接続経路と、
前記第１接続経路から分岐して、前記給水経路と前記流入経路との第１分岐点よりも下流側の前記給水経路に接続される第２接続経路と、
を備え、
前記給湯システムの状態は、
前記給水経路から前記流入経路への給水を許容せずに、前記給水経路から前記貯湯槽への給水を許容する第１状態と、
前記給水経路から前記流入経路への給水を許容し、かつ、前記第２接続経路から前記給水経路への給水を許容して、前記第１接続経路から前記給湯経路への給水を許容しない第２状態と、
前記給水経路から前記流入経路への給水を許容し、かつ、前記第２接続経路から前記給水経路への給水を許容せずに、前記第１接続経路から前記給湯経路への給水を許容する第３状態と、
を含む複数個の状態のうちのいずれかに変更可能であり、
前記給湯システムは、
前記給湯システムの状態が前記第１状態である場合に、前記給水経路から前記貯湯槽に水を供給して、前記貯湯槽の上部に貯えられた前記第１熱源ユニットで加熱された水を前記給湯経路に供給し、
前記給湯システムの状態が前記第２状態である場合に、前記給水経路から、前記流入経路、前記第２熱源ユニット、前記第１接続経路、及び、前記第２接続経路を介して、前記貯湯槽に水を供給して、前記貯湯槽の上部に貯えられた前記第１熱源ユニットで加熱された水を前記給湯経路に供給し、
前記給湯システムの状態が前記第３状態である場合に、前記給水経路から、前記流入経路、前記第２熱源ユニット、及び、前記第１接続経路を介して、前記給湯経路に前記第２熱源ユニットによって加熱された水を供給することが可能である、給湯システム。
【請求項２】
前記貯湯槽の上部の水の温度を計測するための第１温度センサをさらに備え、
前記給湯システムは、
前記給湯システムの状態が前記第１状態である場合において、前記第１温度センサが第１温度以下の温度を検出する場合に、前記給湯システムの状態を前記第１状態から前記第２状態に変更し、その後に第３状態に変更する、請求項１に記載の給湯システム。
【請求項３】
前記第１接続経路内の水の温度を計測するための第２温度センサをさらに備え、
前記給湯システムは、
前記給湯システムの状態が前記第２状態である場合において、前記第２温度センサが第２温度以上の温度を検出する場合に、前記給湯システムの状態を前記第２状態から前記第３状態に変更する、請求項１又は２に記載の給湯システム。
【請求項４】
前記給湯経路と前記第１接続経路との接続点に設けられている混合弁と、
前記第１接続経路のうち前記第２接続経路との分岐点よりも上流側に設けられている逆止弁であって、前記第２接続経路から前記第１接続経路への給水を遮断する逆止弁と、
をさらに備え、
前記給湯システムは、前記給湯システムの状態が前記第１状態である場合に、前記給水経路から前記貯湯槽と前記第２接続経路とに水を供給して、前記貯湯槽の上部の水と前記第２接続経路から前記第１接続経路に供給される水とを混合して前記給湯経路に供給し、
前記第２状態は、前記混合弁によって、前記接続点の上流側の前記給湯経路から前記接続点の下流側の前記給湯経路への供給が許容され、かつ、前記第１接続経路から前記給湯経路への給水が遮断される状態であり、
前記第３状態は、前記混合弁によって、前記接続点の上流側の前記給湯経路から前記接続点の下流側の前記給湯経路への供給が遮断され、かつ、前記第１接続経路から前記給湯経路への給水が許容される状態である、請求項１から３のうちのいずれか一項に記載の給湯システム。
【発明の詳細な説明】
【技術分野】
【０００１】
本明細書で開示する技術は、給湯システムに関する。
【背景技術】
【０００２】
特許文献１に開示されている給湯システムは、ヒートポンプを有する主給湯器によって加熱された水を貯える貯湯タンクと、主給湯器とは異なる加熱源を有する補助給湯器と、を備える。補助給湯器は、貯湯タンクの底部に水を供給する給水配管と貯湯タンクの頂部に接続されている送湯配管との間に接続されている。送湯配管の先端には、浴室内の給湯栓が接続されている。給湯システムは、給水配管から貯湯タンクの底部に水を供給して、貯湯タンク内の湯を送湯配管及び給湯栓に供給する状態と、給水配管から補助給湯器に水を供給して、補助給湯器によって加熱された水を送湯配管及び給湯栓に供給する状態と、に切替可能である。
【先行技術文献】
【特許文献】
【０００３】
【特許文献１】特開２０１１−１４９６８２号公報
【発明の概要】
【発明が解決しようとする課題】
【０００４】
補助給湯器が動作していない状態では、補助給湯器と送湯配管との間に冷水が存在し得る。このため、上記の技術では、貯湯タンク内の湯を給湯栓に供給する状態から補助給湯器によって加熱された水を給湯栓に供給する状態に切り替える際に、補助給湯器と送湯配管との間の冷水が給湯栓から排出され得る。例えば、浴室内のユーザがシャワー用の給湯栓から排出された冷水に触れると、ユーザが不快に感じる場合がある。
【０００５】
本明細書は、補助給湯器としての第２熱源ユニットの流出口と給湯経路との間に接続される接続経路内の冷水が給湯経路に直接供給されることを防止するための技術を提供する。
【課題を解決するための手段】
【０００６】
本明細書が開示する給湯システムは、貯湯ユニットと、第１熱源ユニットと、第２熱源ユニットと、を備える給湯システムであって、前記貯湯ユニットは、水を蓄える貯湯槽と、前記貯湯槽の下部に接続された給水経路と、前記貯湯槽の上部に接続された給湯経路と、を備え、前記第１熱源ユニットは、前記貯湯槽の下部から送り出される水を加熱し、加熱された水を前記貯湯槽の上部から前記貯湯槽内に送り出し、前記第２熱源ユニットは、前記給水経路から送り出される水を加熱し、加熱された水を前記給湯経路に送り出し、前記給湯システムは、さらに、前記給水経路から分岐して、前記第２熱源ユニットの流入口に接続される流入経路と、前記第２熱源ユニットの流出口から延びて、前記給湯経路に接続される第１接続経路と、前記第１接続経路から分岐して、前記給水経路と前記流入経路との第１分岐点よりも下流側の前記給水経路に接続される第２接続経路と、を備え、前記給湯システムの状態は、前記給水経路から前記流入経路への給水を許容せずに、前記給水経路から前記貯湯槽への給水を許容する第１状態と、前記給水経路から前記流入経路への給水を許容し、かつ、前記第２接続経路から前記給水経路への給水を許容して、前記第１接続経路から前記給湯経路への給水を許容しない第２状態と、前記給水経路から前記流入経路への給水を許容し、かつ、前記第２接続経路から前記給水経路への給水を許容せずに、前記第１接続経路から前記給湯経路への給水を許容する第３状態と、を含む複数個の状態のうちのいずれかに変更可能であり、前記給湯システムは、前記給湯システムの状態が前記第１状態である場合に、前記給水経路から前記貯湯槽に水を供給して、前記貯湯槽の上部に貯えられた前記第１熱源ユニットで加熱された水を前記給湯経路に供給し、前記給湯システムの状態が前記第２状態である場合に、前記給水経路から、前記流入経路、前記第２熱源ユニット、前記第１接続経路、及び、前記第２接続経路を介して、前記貯湯槽に水を供給して、前記貯湯槽の上部に貯えられた前記第１熱源ユニットで加熱された水を前記給湯経路に供給し、前記給湯システムの状態が前記第３状態である場合に、前記給水経路から、前記流入経路、前記第２熱源ユニット、及び、前記第１接続経路を介して、前記給湯経路に前記第２熱源ユニットによって加熱された水を供給することが可能である。
【０００７】
上記の構成によれば、給湯システムは、給水経路から貯湯槽に水を供給して、貯湯槽の上部に貯えられた前記第１熱源ユニットで加熱された水を給湯経路に供給する第１状態と、給水経路、第２熱源ユニット、及び、第１接続経路を介して、給湯経路に水を供給する第３状態と、に変更可能である。さらに、給湯システムは、給水経路、第２熱源ユニット、第１接続経路、第２接続経路を介して貯湯槽に水を供給して、貯湯槽の上部に貯えられた前記第１熱源ユニットで加熱された水を給湯経路に供給する第２の状態にも、変更可能である。第２の状態では、第２熱源ユニットの流出口に接続される第１接続経路内の水は、給湯経路ではなく、貯湯槽に供給される。このため、例えば、第１状態の後に第２状態に変更することにより、第１状態において第１接続経路内に存在する冷水が貯湯槽に供給され、当該冷水が給湯経路に直接供給されることを防止することができる。
【０００８】
また、給湯システムは、貯湯槽の上部の水の温度を計測するための第１温度センサをさらに備え、前記給湯システムは、前記給湯システムの状態が前記第１状態である場合において、前記第１温度センサが第１温度以下の温度を検出する場合に、前記給湯システムの状態を前記第１状態から前記第２状態に変更し、その後に第３状態に変更してもよい。例えば、第１状態の動作が開始してから所定の時間が経過した場合に、第２状態に変更し、その後に第３状態に変更される比較例が想定される。この比較例では、貯湯槽の上部の水が水道水の温度に近い冷水である状況で第２状態に変更される可能性がある。このため、第１状態から第３状態に変更されるまでの間に、第２状態において冷水が給湯経路に供給される可能性がある。これに対して、上記の構成によれば、貯湯槽の上部の水の温度が、第１熱源ユニットで加熱された不快感を生じない程度の第１温度以下であることを確実に検知して、貯湯槽の上部の水が冷水になる前に第２状態に変更することができる。この結果、ユーザは、第２状態において冷水に触れることがなく、ユーザの不快感を軽減することができる。
【０００９】
また、給湯システムは、前記第１接続経路内の水の温度を計測するための第２温度センサをさらに備え、前記給湯システムは、前記給湯システムの状態が前記第２状態である場合において、前記第２温度センサが第２温度以上の温度を検出する場合に、前記給湯システムの状態を前記第２状態から前記第３状態に変更してもよい。第１接続経路内の水が第２温度以上となることは、第１接続経路から給湯経路に第２温度以上の水を供給可能なことを意味する。上記の構成によれば、第１接続経路内の水の温度が第２温度以上であることを確実に検知して、第２状態において貯湯槽の上部の水が冷水になる前に第２状態から第３状態に変更して、第２熱源ユニットによって加熱された水を給湯経路に供給することができる。
【００１０】
前記給湯経路と前記第１接続経路との接続点に設けられている混合弁と、前記第１接続経路のうち前記第２接続経路との分岐点よりも上流側に設けられている逆止弁であって、前記第２接続経路から前記第１接続経路への給水を遮断する逆止弁と、さらに備え、前記給湯システムは、前記給湯システムの状態が前記第１状態である場合に、前記給水経路から前記貯湯槽と前記第２接続経路とに水を供給して、前記貯湯槽の上部の水と前記第２接続経路から前記第１接続経路に供給される水と混合して前記給湯経路に供給し、前記給湯システムの状態が前記第２状態である場合に、前記混合弁によって、前記接続点の上流側の前記給湯経路から前記接続点の下流側の前記給湯経路への供給が許容され、かつ、前記第１接続経路から前記給湯経路への給水が遮断され、前記給湯システムの状態が前記第３状態である場合に、前記混合弁によって、前記接続点の上流側の前記給湯経路から前記接続点の下流側の前記給湯経路への供給が遮断れ、かつ、前記第１接続経路から前記給湯経路への給水が許容されてもよい。この構成によれば、第１状態である場合に、給水経路内の水と貯湯槽の上部の水とを混合して給湯経路に供給することができる。さらに、第１状態において水を混合するための混合弁を制御して、第２状態と第３状態とのいずれかに変更することができる。
【図面の簡単な説明】
【００１１】
【図１】第１実施例における給湯システムの構成を模式的に示す図である。
【図２】第１実施例における給湯システムの給湯処理を示すフローチャートである。
【図３】ガス熱源ユニットからの水が貯湯槽に供給される場合における給湯システム内の水の経路を示す図である。
【図４】ガス熱源ユニットからの水が給湯経路に供給される場合における給湯システム内の水の経路を示す図である。
【図５】第２実施例における給湯システムの構成を模式的に示す図である。
【図６】ガス熱源ユニットからの水が貯湯槽に供給される場合における給湯システム内の水の経路を示す図である。
【図７】ガス熱源ユニットからの水が給湯経路に供給される場合における給湯システム内の水の経路を示す図である。
【図８】第３実施例における給湯システムの構成を模式的に示す図である。
【図９】第３実施例における給湯システムの給湯処理を示すフローチャートである。
【図１０】第３実施例における湯切れ処理を示すフローチャートである。
【図１１】ガス熱源ユニットからの水が給湯経路に供給される場合における給湯システム内の水の経路を示す図である。
【図１２】ガス熱源ユニットからの水が貯湯槽に供給される場合における給湯システム内の水の経路を示す図である。
【図１３】第３実施例における湯はり処理を示すフローチャートである。
【図１４】貯湯槽からの水が浴槽に供給される場合における給湯システム内の水の経路を示す図である。
【図１５】ガス熱源ユニットからの水が浴槽に供給される場合における給湯システム内の水の経路を示す図である。
【図１６】第４実施例における残湯処理を示すフローチャートである。
【図１７】貯湯槽からの水とガス熱源ユニットからの水の混合水が給湯経路に供給される場合における給湯システム内の水の経路を示す図である。
【発明を実施するための形態】
【００１２】
（第１実施例）
（給湯システム１０；図１）
本実施例の給湯システム１０を、図１を参照して説明する。図１は給湯システム１０の系統図であり、水の流れを矢印で示している。図１に示すように、給湯システム１０は、貯湯ユニット２０と、ヒートポンプユニット５０と、ガス熱源ユニット８０を備えている。給湯システム１０は、給湯栓４８に給湯する。
【００１３】
（ヒートポンプユニット５０の構成）
ヒートポンプユニット５０は、ポンプ５２と、ヒートポンプ本体５４と、を備える。ポンプ５２は、後述する貯湯槽２２内の水をヒートポンプ本体５４に圧送し、ヒートポンプ本体５４によって加熱された水を貯湯槽２２に送り出す。ヒートポンプ本体５４は、外気と冷媒との間で熱交換を行い、当該冷媒とヒートポンプ本体５４に圧送された水との間で熱交換を行うことで、貯湯槽２２内の水を加熱させる装置である。ヒートポンプ本体５４は、既知のヒートポンプであるので、その説明は省略する。
【００１４】
ヒートポンプユニット５０は、コントローラ５６を備えている。コントローラ５６は、ＣＰＵ、ＲＯＭ、ＲＡＭ等を備えている。コントローラ５６は、ポンプ５２及びヒートポンプ本体５４の動作を制御する。
【００１５】
（貯湯ユニット２０の構成）
貯湯ユニット２０は、貯湯槽２２と、給水経路２４と、給湯経路２６を備えている。貯湯槽２２の下部には、循環往路６０の一端が接続されている。循環往路６０の他端には、ポンプ５２が接続されている。貯湯槽２２の上部には、循環復路６２の一端が接続されている。循環復路６２の他端には、ヒートポンプ本体５４が接続されている。ポンプ５２が駆動すると、貯湯槽２２の下部から循環往路６０に水が送り出され、この水がヒートポンプ本体５４によって加熱され、循環復路６２を通じて貯湯槽２２の上部に戻される。このようにして、貯湯槽２２とヒートポンプユニット５０との間の循環経路が構成されている。この循環が行われることによって、貯湯槽２２では、冷水層（例えば１０℃の層）の上部に高温層（例えば６０℃の層）が積層した温度成層が形成される。
【００１６】
給水経路２４は、貯湯槽２２の下部に接続されている。給水経路２４は、貯湯槽２２に水道水を供給する。また、給湯経路２６は、貯湯槽２２の上部に接続されている。給水経路２４から貯湯槽２２に水道水が供給されることによって、貯湯槽２２内の湯が、給湯経路２６を介して、給湯経路２６の先端に接続されている給湯栓４８に供給される。
【００１７】
給水経路２４からは、混合経路２８が分岐している。混合経路２８の先端は、給湯経路２６に接続されている。混合経路２８と給湯経路２６との接続点には、混合弁３０が設けられている。混合弁３０は、弁開度を調整することによって、混合経路２８から給湯経路２６に供給される水の流量を調整し、給湯経路２６内の湯の温度を調整する。混合弁３０は、全開状態と半開状態と全閉状態とに切替可能である。なお、混合弁３０の弁開度は、リニアに調整可能であってもよい。混合弁３０が全開状態では、混合経路２８が全開で給湯経路２６に連通されるとともに、混合弁３０より上流側の給湯経路２６から混合弁３０より下流側の給湯経路２６への経路が閉鎖される。混合弁３０が全閉状態では、混合経路２８から給湯経路２６への経路が閉鎖され、混合弁３０より上流側の給湯経路２６が全開で混合弁３０より下流側の給湯経路２６に連通される。混合弁３０が半開状態では、混合経路２８が半開で給湯経路２６に連通される。これにより、混合経路２８内の水と給湯経路２６内の水が混合される。
【００１８】
給水経路２４と混合経路２８との分岐点よりも下流側の給水経路２４からは、流入経路３２が分岐している。流入経路３２は、ガス熱源ユニット８０の流入口８０ａに接続されている。給水経路２４と流入経路３２との分岐点には第１切替弁３４が設けられている。第１切替弁３４は、貯湯槽２２側が全開である状態（以下では、「貯湯側全開状態」と記載）とガス熱源ユニット８０側が全開である状態（以下で、「ガス側全開状態」と記載）とに切替可能な三方弁である。第１切替弁３４が貯湯側全開状態では、給水経路２４から流入経路３２への経路が閉鎖され、第１切替弁３４より下流側の給水経路２４に全開で連通される。第１切替弁３４がガス側全開状態では、給水経路２４が全開で流入経路３２に連通され、第１切替弁３４より下流側の給水経路２４への経路が閉鎖される。
【００１９】
給水経路２４と流入経路３２との分岐点よりも下流側の給水経路２４には、第２接続経路としての給水接続経路３６が接続されている。給水接続経路３６は、ガス熱源ユニット８０の流出口８０ｂから延びている第１接続経路としての流出経路３８から分岐して、給水経路２４に接続されている。給水接続経路３６と流出経路３８との分岐点には、第２切替弁４２が設けられている。第２切替弁４２は、貯湯側全開状態と給湯栓４８側が全開である状態（以下では、「出湯側全開状態」と記載）とに切替可能な三方弁である。第２切替弁４２が貯湯側全開状態では、流出経路３８が全開で給水接続経路３６に連通され、第２切替弁４２より下流側の流出経路３８への経路が閉鎖される。第２切替弁４２が出湯側全開状態では、流出経路３８が全開で第２切替弁４２より下流側の流出経路３８に連通され、流出経路３８から給水接続経路３６への経路が閉鎖される。
【００２０】
給水接続経路３６と給水経路２４との接続点と、給水経路２４と流入経路３２との分岐点の間には、逆止弁４４が設けられている。逆止弁４４は、給水接続経路３６から上流側の給水経路２４への給水を遮断する。
【００２１】
貯湯槽２２の上部には、貯湯槽２２の上部の水の温度を計測するための温度センサ２２ａが設けられている。給湯経路２６には、混合弁３０より上流側の給湯経路２６内の水の温度を計測するための温度センサ２６ａと、混合弁３０より下流側に給湯栓４８から排出される水の温度を計測するための温度センサ２６ｃが設けられている。また、給湯経路２６には、給湯栓４８から排出される水の毎分の流量を計測するための流量センサ２６ｂが設けられている。
【００２２】
貯湯ユニット２０は、コントローラ４６を備えている。コントローラ４６は、ＣＰＵ、ＲＯＭ、ＲＡＭ等を備えている。コントローラ４６には、各温度センサ２２ａ、２６ａと流量センサ２６ｂから、検出信号が入力される。また、コントローラ４６は、混合弁３０、第１切替弁３４、第２切替弁４２の動作を制御する。
【００２３】
（ガス熱源ユニット８０の構成）
ガス熱源ユニット８０は、熱交換器８２と、バーナ８４と、を備える。ガス熱源ユニット８０の流入口８０ａから入口経路８６ａが延びており、入口経路８６ａの先端は、熱交換器８２の入口側に接続されている。熱交換器８２の出口側から出口経路８６ｂが延びており、出口経路８６ｂの先端は、ガス熱源ユニット８０の流出口８０ｂに接続されている。バーナ８４はガス燃焼式であって、熱交換器８２を加熱する。
【００２４】
入口経路８６ａには、入口経路８６ａを流れる水の毎分の流量を計測するための流量センサ８６ｃが設けられている。出口経路８６ｂには、出口経路８６ｂ内の水の温度を計測するための温度センサ８６ｄが設けられている。
【００２５】
ガス熱源ユニット８０は、コントローラ８８を備えている。コントローラ８８は、ＣＰＵ、ＲＯＭ、ＲＡＭ等を備えている。コントローラ８８には、流量センサ８６ｃ、温度センサ８６ｄから、検出信号が入力される。コントローラ８８は、流量センサ８６ｃが所定の流量以上の流量を検出する場合に、バーナ８４を燃焼させる。
【００２６】
（リモコン９０に構成）
給湯システム１０は、リモコン９０を備える。リモコン９０は、各コントローラ５６、４６、８８と通信可能である。リモコン９０には、給湯システム１０を操作するためのスイッチやボタン、給湯システム１０の動作状態を表示する液晶表示器等が設けられており、リモコン９０で設定された情報が各コントローラに入力される。利用者は、リモコン９０を利用して、給湯設定温度等を設定することができる。また、各コントローラ４６、５６、８８は、相互に通信可能である。
【００２７】
（給湯処理；図２）
図２を参照して、貯湯ユニット２０のコントローラ４６によって実行される給湯処理について説明する。給湯処理は、リモコン９０の電源がＯＮされることをトリガとして実行される。
【００２８】
Ｓ１０では、コントローラ４６は、貯湯槽２２の上部の水の温度を計測するための温度センサ２２ａが検出する温度（以下、「貯湯温度」と記載）が第１切替温度より高いのか否かを判断する。第１切替温度は、リモコン９０によって設定された給湯設定温度より高い温度であり、給湯設定温度に基づいて決まる温度である。例えば、給湯設定温度が４０℃である場合、第１切替温度は、４２℃である。コントローラ４６は、貯湯温度が第１切替温度より高いと判断する場合（Ｓ１０でＹＥＳ）に、Ｓ１２に進む。
【００２９】
Ｓ１２では、コントローラ４６は、第１切替弁３４を貯湯側全開状態に切り替え、第２切替弁４２を貯湯側全開状態に切り替える。これにより、給水経路２４から流入経路３２への水の供給が遮断され、さらに、流出経路３８から給湯栓４８への水の供給が遮断される。この結果、後述するＳ１４で給湯が開始されると、水道水は、図１の矢印に示すように、給水経路２４を介して、貯湯槽２２に供給されるとともに、混合経路２８を介して、給湯経路２６に供給される。そして、給湯経路２６内の水と混合経路２８内の水道水とが混合されて、混合後の水が、給湯経路２６を介して、給湯栓４８に供給される。
【００３０】
Ｓ１４では、コントローラ４６は、給湯が開始されたのか否かを監視する。具体的には、コントローラ４６は、給湯経路２６の流量センサ２６ｂが所定の流量以上の流量を検出する場合に、給湯が開始されたと判断し（Ｓ１４でＹＥＳ）、Ｓ１６に進む。
【００３１】
Ｓ１６では、コントローラ４６は、温度センサ２６ｃの検出値を利用して、給湯栓４８に供給される水の温度が給湯設定温度となるように、混合弁３０の弁開度を調整する。
【００３２】
Ｓ１８は、Ｓ１０と同様である。コントローラ４６は、貯湯温度が第１切替温度より高いと判断する場合（Ｓ１８でＹＥＳ）に、Ｓ２０において、給湯中であるのか否かを判断する。具体的には、コントローラ４６は、給湯経路２６の流量センサ２６ｂが所定の流量以上の流量を検出する場合に、給湯中であると判断して（Ｓ２０でＹＥＳ）、Ｓ１６に戻る。一方、コントローラ４６は、流量センサ２６ｂが所定の流量より小さい流量を検出する場合に、給湯中でないと判断して（Ｓ２０でＮＯ）、Ｓ１０に戻る。
【００３３】
また、コントローラ４６は、貯湯温度が第１切替温度以下であると判断する場合（Ｓ１８でＮＯ）に、Ｓ２２に進む。Ｓ２２では、コントローラ４６は、第１切替弁３４をガス側全開状態に切り替え、第２切替弁４２を貯湯側全開状態に維持する。これにより、流出経路３８から給湯栓４８への給水が遮断されたまま、給水経路２４から流入経路３２への水の供給が許容される。さらに、コントローラ４６は、混合弁３０を全閉状態にする。これにより、混合経路２８から給湯経路２６への給水が遮断される。この結果、図３の矢印に示すように、水道水は、給水経路２４、流入経路３２、熱交換器８２、流出経路３８、給水接続経路３６、及び、給水経路２４の最下流側の一部を介して、貯湯槽２２に供給される。そして、貯湯槽２２の上部の水が、給湯経路２６を介して、給湯栓４８に供給される。なお、変形例では、コントローラ４６は、混合弁３０の弁開度を調整して、給湯経路２６内の湯の温度を調整してもよい。
【００３４】
ここで、給水経路２４から流入経路３２に水道水が供給されることによって、入口経路８６ａの流量センサ８６ｃが所定の流量以上の流量を検出する。この結果、ガス熱源ユニット８０は、バーナ８４の燃焼を開始する。
【００３５】
次いで、Ｓ２４では、コントローラ４６は、給湯設定温度と出口経路８６ｂの温度センサ８６ｄが検出する温度（以下、「出口温度」と記載）との差分の絶対値が所定温度（例えば、０．１℃）以下であるのか否かを判断する。コントローラ４６は、給湯設定温度と出口温度との差分の絶対値が所定温度より高いと判断する場合（Ｓ２４でＮＯ）に、Ｓ２６に進む。Ｓ２６は、Ｓ２０と同様である。コントローラ４６は、給湯中であると判断する場合（Ｓ２６でＹＥＳ）、Ｓ２４に戻る。一方、コントローラ４６は、給湯中でないと判断する場合（Ｓ２６でＮＯ）に、Ｓ１０に戻る。
【００３６】
また、コントローラ４６は、給湯設定温度と出口温度との差分の絶対値が所定温度以下であると判断する場合（Ｓ２４でＹＥＳ）に、Ｓ２８に進む。Ｓ２８では、コントローラ４６は、第１切替弁３４をガス側全開状態に維持し、第２切替弁４２を出湯側全開状態に切り替える。これにより、給水経路２４から流入経路３２への水の供給が許容されたまま、流出経路３８から給湯栓４８への給水が許容される。この結果、水道水は、図４の矢印に示すように、給水経路２４と流入経路３２を介して、ガス熱源ユニット８０の熱交換器８２に供給される。そして、熱交換器８２によって加熱された水道水は、流出経路３８と給湯経路２６を介して、給湯栓４８に供給される。
【００３７】
Ｓ３０では、コントローラ４６は、給湯中であるのか否かを監視する。具体的には、コントローラ４６は、給湯経路２６の流量センサ２６ｂが所定の流量未満の流量を検出する場合に、給湯中でないと判断して（Ｓ３０でＮＯ）、Ｓ１０に戻る。
【００３８】
また、コントローラ４６は、貯湯温度が第１切替温度以下であると判断する場合（Ｓ１０でＮＯ）に、Ｓ１２以降の処理を実行することなく、Ｓ４０に進む。Ｓ４０、Ｓ４２、Ｓ４４は、Ｓ２８、Ｓ１４、Ｓ３０と同様である。即ち、貯湯温度が第１切替温度以下である場合には、貯湯槽２２内の湯は、給湯栓４８に供給されず、ガス熱源ユニット８０によって加熱された水道水が、給湯栓４８に供給される（図４参照）。コントローラ４６は、給湯中でないと判断する場合（Ｓ４４でＮＯ）に、Ｓ１０に戻る。
【００３９】
（本実施例の効果）
上述の説明から明らかなように、給湯システム１０は、貯湯槽２２内の湯と水道水との混合水が給湯栓４８に供給されている図１の状態において、貯湯槽２２内の水の温度が第１切替温度以下となる場合（Ｓ１８でＮＯ）に、各弁３０、３４、４２を制御して、図１の状態からガス熱源ユニット８０によって加熱された水道水を給湯栓４８に供給する図４の状態に変更する。これにより、貯湯槽２２内の水の温度が低下しても、給湯設定温度の水を給湯栓４８に供給することができる。
【００４０】
また、給湯システム１０は、貯湯温度が第１切替温度以下となる場合（図２のＳ１８でＮＯ）に、図４の状態に変更する前に、第１切替弁３４をガス側全開状態に切り替えて（図２のＳ２２）、図３の矢印が示すように、給水経路２４、流入経路３２、熱交換器８２、流出経路３８、給水接続経路３６、及び、給水経路２４の最下流側の一部を介して、貯湯槽２２に水を供給する。この結果、図１の状態において流出経路３８内に存在していた冷水は、貯湯槽２２に供給され、給湯経路２６に直接供給されることを防止することができる。また、給湯経路２６内の水が第１切替温度以下となり、給湯設定温度以下の水が給湯栓４８に供給される可能性があるものの、流出経路３８内の冷水は貯湯槽２２に供給されるので、給湯栓４８を利用するユーザは流出経路３８内の冷水に触れることはない。ユーザの不快感を軽減することができる。
【００４１】
また、給湯システム１０は、貯湯温度が第１切替温度以下であると判断する場合（図２のＳ１８でＮＯ）に、第１切替弁３４をガス側全開状態に切り替え（Ｓ２２）、図３の状態に変更する。例えば、Ｓ１８の処理を実行せずに、Ｓ１４で給湯を開始してから所定の時間が経過した場合に、Ｓ２２以降の処理を実行する比較例が想定される。この比較例では、貯湯槽２２の上部の水が水道水の温度に近い冷水である状況で図３の状態に変更される可能性がある。このため、図１の状態から図４の状態に変更されるまでの間に、図３の状態において冷水が給湯経路２６に供給される可能性がある。これに対して、上記の構成によれば、貯湯槽２２の上部の水の温度がヒートポンプユニット５０で加熱された不快感を生じない程度の第１切替温度以下であることを確実に検知して、貯湯槽２２の上部の水が冷水になる前に図３の状態に変更することができる。この結果、ユーザは、図３の状態において冷水に触れることがなく、ユーザの不快感を軽減することができる。
【００４２】
また、給湯システム１０は、設定温度と出口温度との差分の絶対値が所定温度以下である場合（図２のＳ２４でＹＥＳ）に、第２切替弁４２を出湯側全開状態に切り替えて（図２のＳ２８）、図４の状態に変更する。この構成によれば、図３の状態において、流出経路３８内の水の温度が給湯設定温度に近づいたことを確実に検知して、図３の状態において貯湯槽２２の上部の水が冷水になる前に、図３の状態から図４の状態に変更して、ガス熱源ユニット８０で加熱された給湯設定温度の水を給湯栓４８に供給することができる。
【００４３】
また、Ｓ２２の処理は、三方弁である第１切替弁３４を制御することによって実現される。従って、２個の開閉弁を設ける構成と比較して、１個の第１切替弁３４を設けるだけで、Ｓ２２の処理を実現することができる。
【００４４】
また、Ｓ２８の処理は、三方弁である第２切替弁４２を制御することによって実現される。従って、２個の開閉弁を設ける構成と比較して、１個の第２切替弁４２を設けるだけで、Ｓ２８の処理を実現することができる。
【００４５】
（対応関係）
本実施例では、貯湯ユニット２０、ヒートポンプユニット５０、ガス熱源ユニット８０、貯湯槽２２が、それぞれ、「貯湯ユニット」、「第１熱源ユニット」、「第２熱源ユニット」、「貯湯槽」の一例である。給水経路２４、給湯経路２６、流入経路３２、流出経路３８、給水接続経路３６が、それぞれ、「給水経路」、「給湯経路」、「流入経路」、「第１接続経路」、「第２接続経路」の一例である。図２のＳ１２の各切替弁の状態、Ｓ２２の各切替弁の状態、Ｓ２８の各切替弁の状態が、それぞれ、「第１状態」、「第２状態」、「第３状態」の一例である。温度センサ２２ａ、第１切替温度が、それぞれ、「第１温度センサ」、「第１温度」の一例である。温度センサ８６ｄ、給湯設定温度が、それぞれ、「第２温度センサ」、「第２温度」の一例である。第１切替弁３４、第２切替弁４２が、それぞれ、「第１三方弁」、「第２三方弁」の一例である。
【００４６】
（第２実施例）
第２実施例の給湯システム１００は、第１実施例の貯湯ユニット２０と一部が異なる貯湯ユニット１２０を備える点を除いて、第１実施例と同様である。以下では、主に、第１実施例と異なる点について説明する。
【００４７】
（貯湯ユニット１２０の構成；図５）
本実施例の貯湯ユニット１２０は、第１実施例の混合経路２８に代えて、混合経路１２８を備える。混合経路１２８は、第１切替弁３４と、給水経路２４と給水接続経路３６との接続点との間の給水経路２４から分岐している。混合経路１２８の先端は、給湯経路２６に接続されている。混合経路１２８と給湯経路２６との接続点には、混合弁３０が設けられている。
【００４８】
（給湯処理；図２）
本実施例の給湯処理は、第１実施例の給湯処理と同様である。以下では、本実施例の給湯処理によって実現される具体的な水の流れについて説明する。
【００４９】
Ｓ１２では、コントローラ４６は、第１切替弁３４を貯湯側全開状態に切り替え、第２切替弁４２を貯湯側全開状態に切り替える。この結果、水道水は、図５の矢印に示すように、給水経路２４を介して、貯湯槽２２に供給されるとともに、混合経路１２８を介して、給湯経路２６に供給される。そして、給湯経路２６内の水と混合経路１２８内の水道水とが混合されて、混合後の水が、給湯経路２６を介して、給湯栓４８に供給される。
【００５０】
Ｓ２２では、コントローラ４６は、第１切替弁３４をガス側全開状態に切り替る。この結果、水道水は、図６の矢印に示すように、給水経路２４、流入経路３２、熱交換器８２、流出経路３８、給水接続経路３６、及び、給水経路２４の最下流側の一部を介して、貯湯槽２２に供給される。そして、貯湯槽２２の上部の水が、給湯経路２６を介して、給湯栓４８に供給される。これにより、第１実施例の図３と同様に、流出経路３８内の水が貯湯槽２２に供給される。なお、第１実施例では、混合弁３０の弁開度を調整して、給湯経路２６内の湯の温度を調整することが可能であったが、本実施例では、混合弁３０の弁開度を調整しても、給湯経路２６内の湯の温度を調整することができない。
【００５１】
Ｓ２８では、コントローラ４６は、第２切替弁４２を出湯側全開状態に切り替える。この結果、水道水は、図７の矢印に示すように、給水経路２４と流入経路３２を介して、ガス熱源ユニット８０の熱交換器８２に供給される。そして、熱交換器８２によって加熱された水道水は、流出経路３８と給湯経路２６を介して、給湯栓４８に供給される。
【００５２】
本実施例でも、第１実施例と同様に、貯湯槽２２内の水の温度が低下しても、給湯設定温度の水を給湯栓４８に供給することができるとともに、ユーザが流出経路３８内の冷水に触れることを防止することができる。
【００５３】
（第３実施例）
第３実施例の給湯システム２００は、給湯栓４８に加えて、浴槽２９４に給湯することが可能である。給湯システム２００は、第１実施例の貯湯ユニット２０と一部が異なる貯湯ユニット２２０を備える点と、給湯処理の一部の処理が異なる点を除いて、第１実施例と同様である。以下では、主に、第１実施例と異なる点について説明する。
【００５４】
（貯湯ユニット２２０の構成；図８）
本実施例の貯湯ユニット２２０は、第１切替弁３４に代えて、分配弁２３４を備える。分配弁２３４は、給水経路２４と流入経路３２との分岐点に設けられている。分配弁２３４は、貯湯側全開状態とガス側全開状態に加えて、半開状態に切替可能である。分配弁２３４の弁開度は、リニアに調整可能であってもよい。分配弁２３４の貯湯側全開状態とガス側全開状態は、第１切替弁３４の貯湯側全開状態とガス側全開状態と同様である。分配弁２３４の半開状態では、給水経路２４が半開で流入経路３２に連通される。これにより、流入経路３２と分配弁２３４より下流側の給水経路２４の双方に水が供給される。
【００５５】
本実施例では、混合弁３０は、ガス熱源ユニット８０の流出口８０ｂから延びている流出経路２３８と給湯経路２６との接続点に設けられている。
【００５６】
流出経路２３８から、給水接続経路２３６が分岐している。給水接続経路２３６の先端は、流入経路３２との分岐点よりも下流側の給水経路２４に接続されている。
【００５７】
流出経路２３８には、逆止弁２３８ａが設けられている。逆止弁２３８ａは、給水接続経路２３６から流出経路２３８への給水を遮断する。
【００５８】
混合弁３０より下流側の給湯経路２６からは、流入接続経路２６２ａが分岐している。流入接続経路２６２ａの先端は、流入経路３２に接続されている。流入接続経路２６２ａには、流入接続経路２６２ａを開閉する流入開閉弁２６２ｂが設けられている。
【００５９】
（ガス熱源ユニット２８０の構成）
本実施例のガス熱源ユニット２８０の出口経路８６ｂからは、湯はり経路２９２が分岐している。湯はり経路２９２の先端は、浴槽２９４に開口している。湯はり経路２９２には、湯はり経路２９２を開閉する湯はり弁２９２ａが設けられている。
【００６０】
（給湯処理；図９）
図９を参照して、本実施例の給湯処理について説明する。なお、本実施例の給湯処理では、流入開閉弁２６２ｂと湯はり弁２９２ａのいずれも、閉状態である。
【００６１】
Ｓ２１０は、図２のＳ１０と同様である。コントローラ４６は、貯湯温度が第１切替温度より高いと判断する場合（Ｓ２１０でＹＥＳ）に、Ｓ２１２に進む。
【００６２】
Ｓ２１２では、コントローラ４６は、混合弁３０を半開状態に切り替え、分配弁２３４を貯湯側全開状態に切り替える。この結果、後述するＳ２１４で給湯が開始されると、水道水は、図８の矢印に示すように、給水経路２４を介して、貯湯槽２２に供給されるとともに、給水接続経路２３６を介して、給湯経路２６に供給される。そして、給湯経路２６内の水と給水接続経路２３６を介して供給される水道水とが混合されて、混合後の水が、給湯経路２６を介して、給湯栓４８に供給される。
【００６３】
Ｓ２１４〜Ｓ２１８は、図２のＳ１４〜Ｓ１８と同様である。コントローラ４６は、貯湯温度が第１切替温度より高いと判断する場合（Ｓ２１８でＹＥＳ）に、Ｓ２２０に進む。Ｓ２２０は、図２のＳ２０と同様である。コントローラ４６は、給湯中であると判断する場合（Ｓ２２０でＹＥＳ）に、Ｓ２１６に戻る。一方、コントローラ４６は、貯湯温度が第１切替温度以下であると判断する場合（Ｓ２１８でＮＯ）に、Ｓ２１９において、後述する湯切れ処理（図１０参照）を実行する。Ｓ２１９の処理が終了すると、Ｓ２１０に戻る。
【００６４】
また、コントローラ４６は、貯湯温度が第１切替温度以下であると判断する場合（Ｓ２１０でＮＯ）に、Ｓ２１２以降の処理を実行することなく、Ｓ２４０に進む。Ｓ２４０では、コントローラ４６は、混合弁３０を全開状態（即ち流出経路２３８が全開で給湯経路２６に連通される状態）に切り替え、分配弁２３４をガス側全開状態に切り替える。この結果、水道水は、図１１の矢印に示すように、給水経路２４と流入経路３２を介して、ガス熱源ユニット８０の熱交換器８２に供給される。そして、熱交換器８２によって加熱された水道水は、流出経路２３８と混合弁３０より下流側の給湯経路２６を介して、給湯栓４８に供給される。
【００６５】
Ｓ２４２、Ｓ２４４は、図２のＳ４２、Ｓ４４と同様である。コントローラ４６は給湯中でないと判断する場合（Ｓ２４４でＮＯ）に、Ｓ２１０に戻る。
【００６６】
（湯切れ処理；図１０）
図１０を参照して、図９のＳ２１９の湯切れ処理について説明する。Ｓ２２２では、コントローラ４６は、混合弁３０を全閉状態（即ち流出経路２３８から給湯経路２６への経路が閉鎖されている状態）に切り替え、分配弁２３４をガス側全開状態に切り替える。この結果、水道水は、図１２の矢印に示すように、給水経路２４、流入経路３２、熱交換器８２、流出経路２３８、給水接続経路２３６、及び、給水経路２４の最下流側の一部を介して、貯湯槽２２に供給される。そして、貯湯槽２２の上部の水が、給湯経路２６を介して、給湯栓４８に供給される。
【００６７】
Ｓ２２４、Ｓ２２６は、図２のＳ２４、Ｓ２６と同様である。コントローラ４６は、設定温度と出口温度との差分の絶対値が所定温度以下であると判断する場合（Ｓ２２４でＹＥＳ）に、Ｓ２２８に進む。Ｓ２２８、Ｓ２３０は、図１０のＳ２４０、Ｓ２４４と同様である。コントローラ４６は、給湯中でないと判断する場合（Ｓ２３０でＮＯ）に、図１０の処理を終了する。
【００６８】
（湯はり処理；図１３）
図１３を参照して、コントローラ４６によって実行される湯はり処理について説明する。湯はり処理は、リモコン９０の電源がＯＮされることをトリガとして実行される。
【００６９】
Ｓ２６０では、コントローラ４６は、リモコン９０の湯はりボタンの選択に応じて、リモコン９０から湯はり指示を受信することを監視する。コントローラ４６は、リモコン９０から湯はり指示が受信される場合（Ｓ２６０でＹＥＳ）に、Ｓ２６２に進む。
【００７０】
Ｓ２６２では、コントローラ４６は、貯湯温度が第２切替温度より高いのか否かを判断する。第２切替温度は、リモコン９０によって設定された湯はり設定温度より高い温度であり、湯はり設定温度に基づいて決まる温度である。例えば、湯はり設定温度が４０℃である場合、第２切替温度は、４２℃である。コントローラ４６は、貯湯温度が第２切替温度より高いと判断する場合（Ｓ２６２でＹＥＳ）に、Ｓ２６４に進む。
【００７１】
Ｓ２６４では、コントローラ４６は、分配弁２３４を貯湯側全開状態に切り替え、流入開閉弁２６２ｂを開状態にし、湯はり弁２９２ａを開状態にする。そして、コントローラ４６は、混合弁３０の弁開度を調整する。この結果、水道水は、図１４の矢印に示すように、給水経路２４を介して、貯湯槽２２に供給されるとともに、給水接続経路２３６を介して、給湯経路２６に供給される。そして、給湯経路２６内の水と給水接続経路２３６を介して供給される水道水とが混合されて、混合後の水が、流入接続経路２６２ａ、流入経路３２、熱交換器８２、湯はり経路２９２を介して、浴槽２９４に供給される。
【００７２】
Ｓ２６８は、Ｓ２６２と同様である。コントローラ４６は、貯湯温度が第２切替温度より高いと判断する場合（Ｓ２６８でＹＥＳ）に、Ｓ２７０に進む。Ｓ２７０では、コントローラ４６は、湯はりが完了したのか否かを判断する。例えば、コントローラ４６は、浴槽２９４の水位を計測するためのセンサ（図示省略）の検出値を利用して、浴槽２９４の水位が浴槽２９４のリモコン９０によって設定された湯はり水位以上となると判断する場合に、湯はりが完了したと判断する。コントローラ４６は、湯はりが完了していないと判断する場合（Ｓ７０でＮＯ）に、Ｓ６８に戻り、湯はりが完了したと判断する場合（Ｓ２７０でＹＥＳ）に、Ｓ２６０に戻る。
【００７３】
また、コントローラ４６は、貯湯温度が第２切替温度以下であると判断する場合（Ｓ２６２でＮＯ、又は、Ｓ２６８でＮＯ）に、Ｓ２８０に進む。Ｓ２８０では、コントローラ４６は、混合弁３０を全閉状態にし、分配弁２３４をガス側全開状態に切り替え、流入開閉弁２６２ｂを閉状態にし、湯はり弁２９２ａを開状態にする。この結果、水道水は、図１５の矢印に示すように、給水経路２４と流入経路３２を介して、ガス熱源ユニット８０の熱交換器８２に供給される。そして、熱交換器８２によって加熱された水道水は、湯はり経路２９２を介して、浴槽２９４に供給される。ここで、ガス熱源ユニット８０のコントローラ８８は、湯はり経路２９２内の水の温度が湯はり設定温度となるようにバーナ８４の熱量を調整する。
【００７４】
Ｓ２８２は、Ｓ２７０と同様である。コントローラ４６は、湯はりが完了したと判断する場合（Ｓ２８２でＹＥＳ）に、Ｓ２６０に戻る。
【００７５】
（本実施例の効果）
上述の説明から明らかなように、給湯システム２００は、湯はりを行うことができるとともに、貯湯槽２２内の水と水道水との混合水が給湯栓４８に供給されている図８の状態において、貯湯槽２２内の水の温度が第１切替温度以下となる場合（図１０のＳ２１８でＮＯ）に、各弁３０、２３４を制御して、図８の状態からガス熱源ユニット８０によって加熱された水道水を給湯栓４８に供給する図１１の状態に変更する。これにより、貯湯槽２２内の水の温度が低下しても、給湯設定温度の水を給湯栓４８に供給することができる。
【００７６】
また、給湯システム２００は、貯湯温度が第１切替温度以下となる場合（図９のＳ２１８でＮＯ）に、図１１の状態に変更する前に、混合弁３０を全閉状態に切り替えるとともに、分配弁２３４をガス側全開状態に切り替えて（図１０のＳ２２２）、図１２の矢印が示すように、給水経路２４、流入経路３２、熱交換器８２、流出経路２３８、給水接続経路２３６、及び、給水経路２４の最下流側の一部を介して、貯湯槽２２に水を供給する。この結果、図８の状態において流出経路２３８内に存在していた冷水は、貯湯槽２２に供給され、給湯経路２６に直接供給されることを防止することができる。また、給湯経路２６内の水が第１切替温度以下となり、給湯設定温度以下の水が給湯栓４８に供給される可能性があるものの、流出経路２３８内の冷水は貯湯槽２２に供給されるので、給湯栓４８を利用するユーザは流出経路２３８内の冷水に触れることはない。ユーザの不快感を軽減することができる。
【００７７】
また、給湯システム２００は、貯湯温度が第１切替温度以下であると判断する場合（図９のＳ２１８でＮＯ）に、混合弁３０を全閉状態に切り替え、分配弁２３４をガス側全開状態に切り替え（図１０のＳ２２２）、図１２の状態に変更する。例えば、Ｓ２１８の処理を実行せずに、Ｓ２１４で給湯を開始してから所定の時間が経過した場合に、Ｓ２２２以降の処理を実行する比較例が想定される。この比較例では、貯湯槽２２の上部の水が水道水の温度に近い温度の冷水である状況で図１２の状態に変更される可能性がある。このため、図８の状態から図１１の状態に変更されるまでの間に、図１２の状態において冷水が給湯経路２６に供給される可能性がある。これに対して、上記の構成によれば、貯湯槽２２の上部の水の温度がヒートポンプユニット５０で加熱された不快感を生じない程度の第１切替温度以下であることを確実に検知して、貯湯槽２２の上部の水が冷水になる前に図１２の状態に変更することができる。この結果、ユーザは、図１２の状態において冷水に触れることがなく、ユーザの不快感を軽減することができる。
【００７８】
また、給湯システム２００は、設定温度と出口温度との差分の絶対値が所定温度以下である場合（図１０のＳ２２４でＹＥＳ）に、混合弁３０を全開状態に切り替えて（図１０のＳ２２８）、図１１の状態に変更する。この構成によれば、図１２の状態において、流出経路２３８内の水の温度が設定温度に近づいたことを確実に検知して、図１２の状態において貯湯槽２２の上部の水が冷水になる前に、、図１２の状態から図１１の状態に変更して、ガス熱源ユニット８０で加熱された給湯設定温度の水を給湯栓４８に供給することができる。
【００７９】
また、給湯システム２００は、混合弁３０の弁開度を調整することで、給水経路２４内の水と貯湯槽２２の上部の水とを混合して給湯経路２６に供給することができる。さらに、Ｓ２２２の処理は、混合弁３０を全閉状態にすることによって実現され、Ｓ２２８の処理は、混合弁３０を全開状態にすることによって実現される。即ち、給水経路２４内の水と貯湯槽２２の上部の水とを混合するための混合弁３０を流用して、図１１の状態と図１２の状態を実現することができる。
【００８０】
（対応関係）
混合弁３０、逆止弁２３８ａが、それぞれ、請求項４の「混合弁」、「逆止弁」の一例である。図９のＳ２１２の各弁の状態、図１０のＳ２２２の各弁の状態、Ｓ２２８の各弁の状態が、それぞれ、「第１状態」、「第２状態」、「第３状態」の一例である。
【００８１】
（第４実施例）
第４実施例は、第３実施例の変形例である。本実施例では、給水接続経路２３６に給水開閉弁２３６ａが追加され（図１１参照）、さらに、給湯処理において後述する残湯処理（図１６参照）が実行される。給水開閉弁２３６ａは、給水接続経路２３６を開閉する開閉弁である。
【００８２】
（給湯処理；図９）
図９を参照して、本実施例の給湯処理について説明する。本実施例の給湯処理は、Ｓ３１０、Ｓ３１２の処理が実行される点を除いて、第３実施例の給湯処理と同様である。なお、本実施例の給湯処理では、後述する残湯処理が実行される場合を除いて、給水開閉弁２３６ａは開状態である。
【００８３】
コントローラ４６は、ガス熱源ユニット８０によって加熱される水を給湯経路２６に供給する状態（即ち、Ｓ２４０が実行される状態）において、給湯中であると判断する場合（Ｓ２４４でＹＥＳ）に、Ｓ３１０に進む。
【００８４】
Ｓ３１０では、コントローラ４６は、貯湯温度が所定温度域内に含まれるのか否かを判断する。所定温度域は、例えば、３８℃以上４０℃以下の値域である。コントローラ４６は、貯湯温度が所定温度域内に含まれると判断する場合（Ｓ３１０でＹＥＳ）に、Ｓ３１２において、後述する残湯処理（図１６参照）を実行する。Ｓ３１２の処理が終了すると、Ｓ２１０に戻る。
【００８５】
また、コントローラ４６は、貯湯温度が所定温度域内に含まれないと判断する場合（Ｓ３１０でＮＯ）に、Ｓ２４４に戻る。即ち、ガス熱源ユニット８０によって加熱される水のみを給湯経路２６に供給する状態を維持する。
【００８６】
（湯切れ処理；図１０）
図１０を参照して、本実施例の湯切れ処理について説明する。本実施例の湯切れ処理は、Ｓ３２０、Ｓ３２２の処理が実行される点を除いて、第３実施例の湯切れ処理と同様である。
【００８７】
コントローラ４６は、ガス熱源ユニット８０によって加熱される水を給湯経路２６に供給する状態（即ち、Ｓ２２８が実行される状態）において、給湯中であると判断する場合（Ｓ２３０でＹＥＳ）に、Ｓ３２０に進む。Ｓ３２０は、図１０のＳ３１０と同様である。
【００８８】
コントローラ４６は、貯湯温度が所定温度域内に含まれると判断する場合（Ｓ３２０でＹＥＳ）に、Ｓ３２２において、後述する残湯処理（図１６参照）を実行し、貯湯温度が所定温度域内に含まれないと判断する場合（Ｓ３２０でＮＯ）に、Ｓ２３０に戻る。Ｓ３２２の処理が終了すると、図１０の処理が終了する。
【００８９】
（残湯処理）
図１６を参照して、図９のＳ３２０又は図１０のＳ３２２の残湯処理について説明する。Ｓ３５０では、コントローラ４６は、混合弁３０を所定の固定開度に切り替え、分配弁２３４を所定の固定開度に切り替え、給水開閉弁２３６ａを閉状態にする。この結果、図１７の矢印に示すように、給水経路２４内の水が貯湯槽２２に供給され、貯湯槽２２の上部の水が給湯経路２６に供給される。この際、閉状態の給水開閉弁２３６ａによって、給水経路２４から給水接続経路２３６への給水が遮断される。さらに、給水経路２４内の水が、流入経路３２、熱交換器８２、及び、流出経路２３８を介して、給湯経路２６に供給される。従って、貯湯槽２２の上部の水と熱交換器８２によって加熱された水とが混合されて、給湯栓４８に供給される。この際、給湯経路２６内の水の温度が給湯設定温度となるように、バーナ８４の燃量を調整する。
【００９０】
Ｓ３５２では、コントローラ４６は、貯湯温度が上記の所定温度域の下限温度（例えば、３８度）より低くなることを監視する。コントローラ４６は、貯湯温度が下限温度より低くなる場合（Ｓ３５２でＹＥＳ）に、Ｓ３５４に進む。Ｓ３５４は、図１０のＳ２４０と同様である。即ち、図１１の矢印に示すように、ガス熱源ユニット８０によって加熱される水のみが給湯経路２６に供給される状態となる。
【００９１】
Ｓ３５６は、図９のＳ２４４と同様である。コントローラ４６は、給湯中でないと判断する場合（Ｓ３５６でＹＥＳ）に、図１６の処理を終了する。
【００９２】
貯湯温度が第１切替温度以下である場合に、ガス熱源ユニット８０によって加熱される水のみが給湯経路２６に供給される状態（図１１の状態）に変更すると、貯湯槽２２の上部に、第１切替温度（例えば４２℃）より低い所定温度域内（例えば３８℃以上４０℃以下）の水が給湯経路２６に供給されないまま長時間に亘って残存する。この場合、所定温度域内の水が利用されないまま自然放熱してしまう。上記の構成によれば、貯湯槽２２の上部に所定温度域内の水が存在する場合（図９のＳ３１０でＹＥＳ、図１０のＳ３２０でＹＥＳ）に、給湯システム２００は、貯湯槽２２の上部の水と熱交換器８２によって加熱された水とを混合して、給湯栓４８に供給する（図１６のＳ３５０、図１７の状態）。これにより、所定温度域内の水が放熱する前に、所定温度域内の水を利用して、給湯栓４８に給湯設定温度の湯を供給することができる。貯湯槽２２内の水の放熱ロスを削減することができる。
【００９３】
また、例えば、貯湯槽２２の上部の水をガス熱源ユニット２８０に供給して、加熱後の水を給湯栓４８に供給する比較例が想定される。この比較例でも、所定温度域内の水が放熱する前に、所定温度域内の水を利用することが可能である。しかし、貯湯槽２２の上部の水がガス熱源ユニット２８０を通過する必要があり、貯湯槽２２の上部から給湯栓４８までの経路の圧力損失が高くなる。これに対して、本実施例の構成によれば、貯湯槽２２の上部の水は、ガス熱源ユニット２８０を通過せずに、給湯栓４８に供給される。この結果、比較例と比べて、貯湯槽２２の上部から給湯栓４８までの経路の圧力損失を低減することができる。
【００９４】
また、上記の比較例では、所定温度域内の水をバーナ８４によって加熱する必要がある。例えば、熱交換器８２が、燃焼ガス中の潜熱を回収する潜熱回収部を備える場合、所定温度域内の水が潜熱を回収する効率は、所定温度域の下限温度未満の冷水が潜熱を回収する効率よりも低くなる。即ち、比較例では、燃焼ガス中の潜熱の回収効率が低い。これに対して、本実施例の構成によれば、熱交換器８２は給水経路２４から供給される冷水を加熱するので、比較例と比べて、燃焼ガス中の潜熱の回収効率が低減することを抑制することができる。
【００９５】
以上、各実施例について詳細に説明したが、これらは例示に過ぎず、特許請求の範囲を限定するものではない。特許請求の範囲に記載の技術には、以上に例示した具体例を様々に変形、変更したものが含まれる。上記の各実施例の変形例を以下に列挙する。
【００９６】
上記の各実施例では、コントローラ４６は、温度センサ２２ａが検出する温度が第１切替温度以下である場合（図２のＳ１８でＮＯ）に、Ｓ２２の処理を実行して、給湯システムの状態を切り替える。これに代えて、コントローラ４６は、混合弁３０より上流側の給湯経路２６内の水の温度を計測するための温度センサ２６ａが検出する温度が第１切替温度以下である場合に、Ｓ２２の処理を実行してもよい。本変形例では、温度センサ２６ａが、「第１温度センサ」の一例である。また、各実施例の給湯システムは、温度センサ２２ａと温度センサ２６ａを備えるが、これに代えて、温度センサ２２ａと温度センサ２６ａのうちの一方を備えていてもよい。
【００９７】
上記の各実施例では、コントローラ４６は、給湯設定温度と出口温度との差分の絶対値が所定温度以下である場合（Ｓ２４でＹＥＳ）に、Ｓ２８の処理を実行して、給湯システムの状態を切り替える。これに代えて、コントローラ４６は、Ｓ２２の処理を実行してから所定の時間が経過する場合に、Ｓ２８の処理を実行してもよい。本変形例では、「第２温度センサ」を省略可能である。
【００９８】
上記の第１、第２実施例では、給湯システム１０は、第１切替弁３４を備える。これに代えて、給湯システム１０は、分配弁を備えてもよい。この変形例では、分配弁が、「第１三方弁」の一例である。また、給湯システム１０は、第１切替弁３４に代えて、流入経路３２と、流入経路３２との分岐点よりも下流側の給水経路２４のそれぞれに設けられる開閉弁を備えてもよい。本変形例では、「第１三方弁」を省略可能である。
【００９９】
上記の第１、第２実施例では、給湯システム１０は、第２切替弁４２を備える。これに代えて、給湯システム１０は、分配弁を備えてもよい。この変形例では、分配弁が、「第２三方弁」の一例である。また、給湯システム１０は、第２切替弁４２に代えて、給水接続経路３６と、給水接続経路３６との分岐点よりも下流側の流出経路３８のそれぞれに設けられる開閉弁を備えてもよい。本変形例では、「第２三方弁」を省略可能である。
【符号の説明】
【０１００】
１０：給湯システム、２０：貯湯ユニット、２２：貯湯槽、２２ａ：温度センサ、２４：給水経路、２６：給湯経路、２６ａ：温度センサ、２６ｂ：流量センサ、２６ｃ：温度センサ、２８：混合経路、３０：混合弁、３２：流入経路、３４：第１切替弁、３６：給水接続経路、３８：流出経路、４２：第２切替弁、４４：逆止弁、４６：コントローラ、４８：給湯栓、５０：ヒートポンプユニット、５２：ポンプ、５４：ヒートポンプ本体、５６：コントローラ、６０：循環往路、６２：循環復路、８０：ガス熱源ユニット、８０ａ：流入口、８０ｂ：流出口、８２：熱交換器、８４：バーナ、８６ａ：入口経路、８６ｂ：出口経路、８６ｃ：流量センサ、８６ｄ：温度センサ、８８：コントローラ、９０：リモコン、１００：給湯システム、１２０：貯湯ユニット、１２８：混合経路、２００：給湯システム、２２０：貯湯ユニット、２３４：分配弁、２３６：給水接続経路、２３６ａ：給水開閉弁、２３８：流出経路、２３８ａ：逆止弁、２４２：浴槽、２６２ａ：流入接続経路、２６２ｂ：流入開閉弁、２８０：ガス熱源ユニット、２９２：湯はり経路、２９２ａ：湯はり弁、２９４：浴槽
【図１】
2020115050.tif 000003
【図２】
2020115050.tif 000004
【図３】
2020115050.tif 000005
【図４】
2020115050.tif 000006
【図５】
2020115050.tif 000007
【図６】
2020115050.tif 000008
【図７】
2020115050.tif 000009
【図８】
2020115050.tif 000010
【図９】
2020115050.tif 000011
【図１０】
2020115050.tif 000012
【図１１】
2020115050.tif 000013
【図１２】
2020115050.tif 000014
【図１３】
2020115050.tif 000015
【図１４】
2020115050.tif 000016
【図１５】
2020115050.tif 000017
【図１６】
2020115050.tif 000018
【図１７】
2020115050.tif 000019